(57)【要約】  有機分を含むブライン溶液を、ブラインの有機分を低減させるのに充分な電圧で充分な時間、電気化学プロセスに供して、有機分が低減されたブラインを得ることを含む、ブラインの有機分を低減させる方法。また、化学プロセスのブライン流を電気化学的酸化に供して、有機分が低減されたブライン流を得ることを含む、化学プロセスにおけるブラインの有機汚染を低減させる方法も提供する。【特許請求の範囲】
【請求項１】
有機分を含むブラインの溶液を、当該ブラインの有機分を低減させるのに充分な電圧で充分な時間、電気化学プロセスに供して、有機分が低減されたブラインを得ることを含んでなる、ブラインの有機分を低減せしめる方法。
【請求項２】
前記ブラインが海水の塩化ナトリウム濃度から飽和までの塩化ナトリウム濃度を有する請求項１に記載の方法。
【請求項３】
前記ブラインが約１重量％から飽和までの塩化ナトリウム濃度を有する前掲の請求項のいずれか１項に記載の方法。
【請求項４】
前記ブラインが約５重量％から飽和までの塩化ナトリウム濃度を有する前掲の請求項のいずれか１項に記載の方法。
【請求項５】
前記ブラインが約８重量％から飽和までの塩化ナトリウム濃度を有する前掲の請求項のいずれか１項に記載の方法。
【請求項６】
前記ブラインが約１５〜２２重量％の塩化ナトリウム濃度を有する前掲の請求項のいずれか１項に記載の方法。
【請求項７】
前記ブラインが約１５〜２２重量％の塩化ナトリウム濃度を有する前掲の請求項のいずれか１項に記載の方法。
【請求項８】
ｐＨが中性〜アルカリ性ｐＨである前掲の請求項のいずれか１項に記載の方法。
【請求項９】
前記の有機分が低減されたブラインのｐＨを低減させることを更に含む前掲の請求項のいずれか１項に記載の方法。
【請求項１０】
前記の有機分が低減されたブラインのｐＨを約１〜３に低減させる前掲の請求項のいずれか１項に記載の方法。
【請求項１１】
前記の有機分が低減されたブラインのｐＨを約１．５に低減させる前掲の請求項のいずれか１項に記載の方法。
【請求項１２】
前記電気化学プロセスのｐＨが約７〜１０である前掲の請求項のいずれか１項に記載の方法。
【請求項１３】
前記の有機分が低減されたブラインの塩素酸塩分を低減させることを更に含む前掲の請求項のいずれか１項に記載の方法。
【請求項１４】
前記の有機分が低減されたブラインの次亜塩素酸塩分を低減させることを更に含む前掲の請求項のいずれか１項に記載の方法。
【請求項１５】
前記塩素酸塩分を、アルカリ金属亜硫酸塩若しくはアルカリ金属亜硫酸水素塩又は二酸化硫黄の添加によって低減させる前掲の請求項のいずれか１項に記載の方法。
【請求項１６】
前記アルカリ金属亜硫酸塩が亜硫酸ナトリウムを含む請求項１５に記載の方法。
【請求項１７】
前記アルカリ金属亜硫酸水素塩が亜硫酸水素ナトリウムを含む請求項１５に記載の方法。
【請求項１８】
前記電気化学プロセスがチタンアノードを含む前掲の請求項のいずれか１項に記載の方法。
【請求項１９】
前記チタンアノードがホウ素ドープダイヤモンドでコーティングされている請求項１８に記載の方法。
【請求項２０】
前記の有機分を含むブライン溶液が化学プロセスにおける流れを含む前掲の請求項のいずれか１項に記載の方法。
【請求項２１】
前記の有機分が低減されたブラインを前記化学プロセスにおいて循環する請求項２０に記載の方法。
【請求項２２】
前記の有機分が低減されたブラインが異なる化学プロセスにおける供給物を含む請求項２０又は２１に記載の方法。
【請求項２３】
前記プロセスがグリセリンからエピクロロヒドリンへの転化を含む請求項２０〜２２のいずれか１項に記載の方法。
【請求項２４】
前記の有機分が低減されたブラインを、グリセリンからエピクロロヒドリンへのプロセスに循環する請求項２０〜２３のいずれか１項に記載の方法。
【請求項２５】
前記の循環ブラインを処理して、塩素酸塩分を低減させる請求項２４に記載の方法。
【請求項２６】
前記化学プロセスが塩素／アルカリプロセスである請求項２０に記載の方法。
【請求項２７】
前記化学プロセスが塩素／アルカリ膜プロセスである請求項２６に記載の方法。
【請求項２８】
化学プロセスのブライン流を電気化学的酸化に供して、有機分が低減されたブライン流を得ることを含んでなる、化学プロセスにおけるブラインの有機汚染を低減せしめる方法。
【請求項２９】
前記の有機分が低減されたブラインが前記化学プロセスにおける循環、異なる化学プロセスへの供給及び貯蔵の少なくとも１つである請求項２８に記載の方法。
【請求項３０】
前記の有機分が低減されたブラインを処理して、塩素酸塩及び次亜塩素酸塩の少なくとも１種を除去する請求項２８又は２９に記載の方法。
【請求項３１】
化学プロセスのブライン流を、請求項１に記載された精製プロセスに供することを含んでなり、精製されたブラインの有機分が、同じ化学プロセス又は異なる化学プロセスにおいて循環させるのに充分低い、化学プロセスにおけるブラインの有機汚染を低減せしめる方法。
【請求項３２】
前記化学プロセスがエピクロロヒドリンの製造方法であり、そして前記の異なる化学プロセスが塩素アルカリプロセスである請求項３１に記載の方法。
【請求項３３】
前記化学プロセスがポリフェノール化合物をエピクロロヒドリンと反応させてエポキシ樹脂を製造する方法であり且つ前記の異なる化学プロセスが塩素アルカリプロセスである請求項３１に記載の方法。
【請求項３４】
前記化学プロセスがビスフェノールＡ及びエピクロロヒドリンから液体エポキシ樹脂又は固体エポキシ樹脂を製造する方法である請求項３３に記載の方法。
【請求項３５】
前記化学プロセスがビスフェノールＦ又はビスフェノールＦオリゴマー及びエピクロロヒドリンからの液体エポキシノボラック樹脂を製造する方法である請求項３３に記載の方法。
【請求項３６】
前記化学プロセスが塩酸の存在下においてフェノール及びホルムアルデヒドからメチレンジアニリン又はポリメチレンジアニリンオリゴマーを製造する方法である請求項３１に記載の方法。
【請求項３７】
前記化学プロセスがグリセリンからのエピクロロヒドリンを製造する方法である請求項３１に記載の方法。
【請求項３８】
第２の再溶解工程において得られる第２の精製ブライン溶液中に存在する塩化ナトリウムの量に対する有機化合物の量の重量比が、工程（１）において供給される水性ブライン溶液中に存在する塩化ナトリウムの量に対する有機化合物の量の重量比の約１／１００未満である請求項３１〜３７のいずれか１項に記載の方法。
【請求項３９】
前記の１種又はそれ以上の有機化合物が（ａ）１種又はそれ以上のマルチヒドロキシル化脂肪族炭化水素化合物、それらのエステル及び／若しくはそれらのモノエポキシド、並びに／又はそれらの二量体、三量体及び／若しくはオリゴマー並びに／又はそれらのハロゲン化及び／若しくはアミノ化誘導体、（ｂ）１種又はそれ以上の炭素数１〜１０の有機酸、それらのエステル、それらのモノエポキシド及び／又はそれらの塩、（ｃ）１種又はそれ以上のアルキレンビスフェノール化合物並びに／又はそれらのエポキシド、ジオール及び／若しくはクロロヒドリン、更に／或いは（ｄ）アニリン、メチレンジアニリン及び／又はフェノールを含む前掲の請求項のいずれか１項に記載の方法。
【請求項４０】
前記の１種又はそれ以上のマルチヒドロキシル化脂肪族炭化水素化合物がグリセロールを含む請求項３９に記載の方法。
【請求項４１】
前記の１種又はそれ以上の有機酸が蟻酸、酢酸、乳酸及び／又はグリコール酸を含む請求項３９に記載の方法。
【請求項４２】
前記の１種又はそれ以上のアルキレンビスフェノール化合物がビスフェノールＡ及び／又はビスフェノールＦを含む請求項３９に記載の方法。
【請求項４３】
工程（１）において供給される前記ブライン水溶液が、１種又はそれ以上のクロロヒドリンと水酸化ナトリウムとの反応によるクロロヒドリンのエポキシ化によって、生成される請求項３９〜４２のいずれか１項に記載の方法。
【請求項４４】
前記のクロロヒドリンが、反応器中で塩化水素化条件下において、グリセロール及び／若しくはそれらのエステル並びに／又はモノクロロヒドリン及び／若しくはそれらのエステルを含む液相反応混合物と少なくとも１種の塩素化剤を含む少なくとも１種の塩素化供給流とを、任意的に水、１種若しくはそれ以上の触媒並びに／又は１種若しくはそれ以上の重質副生成物の存在下で、接触させることによって製造される請求項４３に記載の方法。
【請求項４５】
工程（１）において供給される前記ブライン水溶液が、少なくとも１種のアルキレンビスフェノール化合物のエポキシ化によって、生成される請求項３９、４２又は４３のいずれか１項に記載の方法。
【請求項４６】
工程（１）において供給される前記ブライン水溶液が、アニリン、メチレンジアニリン及び／又はフェノールを含み、且つメチレンジアニリン（ＭＤＡ）を製造するためのアニリンとホルムアルデヒドとの反応を触媒するのに使用される塩化水素の水酸化ナトリウム中和によって生成される請求項３９に記載の方法。
【請求項４７】
塩化水素の水酸化ナトリウム中和によって生成された前記ブライン水溶液を共沸蒸留に供して、前記ブライン水溶液中に存在するアニリン及び／又はメチレンジアニリンの少なくとも５０重量％を除去してから、工程（１）の前記ブライン水溶液を供給する請求項４６に記載の方法。
【請求項４８】
工程（１）において供給される前記ブライン水溶液が、第１の再溶解操作の前に、アニリン及び／又はメチレンジアニリンを除去するためのストリッピング操作に供されていない請求項４７に記載の方法。
【請求項４９】
工程（１）において供給される前記ブライン水溶液の全有機炭素濃度（ＴＯＣ）が少なくとも約２００ｐｐｍである前掲の請求項のいずれか１項に記載の方法。
【請求項５０】
工程（１）において供給される前記ブライン水溶液の無機塩の約５重量％未満が炭酸イオン及び／又は硫酸イオンを有する塩である前掲の請求項のいずれか１項に記載の方法。
【請求項５１】
工程（２）において得られる前記精製ブライン溶液が約１０ｐｐｍ未満の全有機炭素濃度を有する前掲の請求項のいずれか１項に記載の方法。
【請求項５２】
前記精製ブラインを、塩素アルカリプロセスによって（ａ）水酸化ナトリウム及び（ｂ）塩素ガス又は次亜塩素酸塩を製造するためのブライン出発原料の少なくとも一部として電解槽のアノード側に投入する前掲の請求項のいずれか１項に記載の方法。
【請求項５３】
前記方法が連続法である前掲の請求項のいずれか１項に記載の方法。
【発明の詳細な説明】
【技術分野】
【０００１】
関連出願の相互参照
本出願は、本出願と同一出願日に出願した以下の出願に関連する。以下の各出願の開示を引用することによってその全体を本明細書中に組み入れる：
本出願と同一出願日に出願した米国特許出願第 号（代理人整理番号６６３２３）（発明の名称：ブラインの精製）；
本出願と同一出願日に出願した米国特許出願第 号（代理人整理番号６６３２４）（発明の名称：塩素化分解によるブライン中全有機炭素（ＴＯＣ）の低減）；
本出願と同一出願日に出願した米国特許出願第 号（代理人整理番号６６３２５）（発明の名称：工業用ブラインの精製方法及び精製装置）；及び
本出願と同一出願日に出願した米国特許出願第 号（代理人整理番号６６３２６）（発明の名称：工業用ブラインの精製のための、方法、適合微生物（adapted microbe）、組成物及び装置）。
【０００２】
発明の分野
本発明は、精製ブライン、特に有機分が低減され且つ更に好ましくは塩素酸塩分が低減されたブラインに関する。本発明は、また、有機分が低減され且つ更に好ましくは塩素酸塩分が低減されたブラインを得る方法及び装置、特にブラインの無機化に関する。本発明は、また、ブラインを使用する方法及び装置を、それに使用するブライン又はそれから得られるブライン中の有機分が低減され且つ好ましくは塩素酸塩分が低減されたブラインを含むように改善することに関する。本発明は、水、廃水及びブラインの精製を含む方法のような種々の方法及び技術において有用であり、特に塩素／アルカリプロセス及びグリセリンのエピクロロヒドリンへの転化を含むプロセスにおいて有用である。
【背景技術】
【０００３】
参考資料の考察
化学プロセスにおいては、流入するプロセス流を最大限に利用し且つプロセス流を循環できる、即ち１つのプロセスからの副生成物を他のプロセス、特に隣接プロセスにおいて使用するできることが必要である。プロセス流のこのような使用法は環境的且つ経済的に望ましい。
【０００４】
全有機炭素（ＴＯＣ）のような有機分と塩化ナトリウム分がいずれも高いブライン流を用いる化学プロセスがある。例えば、一部の化学プロセスは、約２０，０００ｐｐｍまでのＴＯＣと約２３重量％までの塩化ナトリウム分を生じる。ＴＯＣ濃度を大幅に低減できれば、ブライン流は塩素／アルカリプロセス又は他の電気分解プロセスのような他のプロセスの原料として循環できる可能性がある。塩化ナトリウムの存在は、種々のブライン副生成物流からの有機化合物の除去において問題を生じることがある。これは、一部の除去プロセスは分離装置中に塩化ナトリウムの有害な沈殿を生じるおそれがあるためである。また、塩化物イオンの存在は、化学処理による有機化合物の分解時に不所望に腐蝕性又は毒性のある塩素化有機化合物の形成を引き起こすおそれがある。
【０００５】
ブライン流は、種々の有機化合物を含むこともあり、その一部は抽出又は炭素床処理のような従来の方法では除去が困難な場合がある。
【０００６】
例えば、グリセリンからのエピクロロヒドリンの製造においては、副生成物ブライン流は約２５００ｐｐｍまでの、典型的には約１５００ｐｐｍまでのＴＯＣと約２３重量％までの、典型的には約２０重量％までの塩化ナトリウム分を含むおそれがある。グリセリンからのエピクロロヒドリンの製造方法とそれに関連する廃棄物削減及び経済的最適化を成功裡に実施するには、ブラインの排出を現場環境政策に組み込むべきである。ＴＯＣ除去後の塩化ナトリウムレベルは高すぎて、環境に直接排出できない。また、ＮａＣｌ濃度は高すぎて、新たな水を多量に消費したりそれに応じて必要な廃水操作能力を増加させなければ、効率的な生物学的廃水処理を行うことができない。副生成物ブライン流の主なＴＯＣ成分はグリセリンであり、グリシドール、１，２−ジクロロヒドリン若しくは１，３−ジクロロヒドリン、１−クロロ−２，３−プロパンジオール、２−クロロ−１，３−プロパンジオール、エピクロロヒドリン、ジグリセロール、トリグリセロール、他のオリゴマーグリセロール、オリゴマーグリセロールのクロロヒドリン、酢酸、蟻酸、乳酸、グリコール酸及び他の脂肪酸を含む他の化合物もブラインのＴＯＣの原因となる。隣接又はオンサイトの塩素／アルカリプロセスによるこのようなブラインの使用に関するＴＯＣ基準値は、わずか１０ｐｐｍ又はそれ以下である場合がある。しかし、ＴＯＣの主成分は、抽出又は炭素床処理のような従来の方法による除去が困難なグリセリンである。
【０００７】
特許文献１は、連続法であって、塩素化副生成物の生成を抑制し且つ廃水の排出をなくすか又は大幅に減少させるエポキシドの製造方法を開示している。この方法は、（ａ）塩化物濃度の低い次亜塩素酸水溶液を形成し；（ｂ）前記の塩化物濃度の低い次亜塩素酸水溶液を少なくとも１種の不飽和有機化合物と接触させて、少なくとも１種のオレフィンクロロヒドリンを含む水性有機生成物を形成し；（ｃ）少なくとも前記オレフィンクロロヒドリンをアルカリ金属水酸化物水溶液と接触させて、少なくともエポキシドを含む塩水溶液生成物を形成し；（ｄ）前記塩水溶液から前記エポキシドを単離することを含む。この方法において、水は少なくとも工程（ｂ）の生成物から回収され、塩化物濃度の低い次亜塩素酸水溶液の形成に使用するために工程（ａ）に循環される。この方法においては、水が工程（ｂ）後に内部で循環されるだけでなく、（ａ）及び（ｄ）の両工程で濃縮ブライン溶液が生成され、これは塩素及び苛性アルカリの電気化学的製造のような他の方法において有用である。そしてまた、塩素及び苛性アルカリは、次に、塩化物濃度の低いＨＯＣｌ水溶液の形成に使用するために循環させることができる。特許文献１によれば、塩素アルカリ電気化学セルに循環する前には、ブラインからいかなる不純物も除去するのが一般に好ましい。これらの不純物は典型的には極微量の有機溶媒並びに塩素酸及び塩素酸イオンのようなＨＯＣｌ分解生成物を含むことが開示されている。これらの不純物の除去方法は、酸性化及び塩素による酸化又は炭素若しくはゼオライトへの吸収などであることができる。
【０００８】
塩素アルカリ電気化学セルに通す前にブラインから不純物を除去する方法が、特許文献２〜５に開示されている。特許文献２は、塩素酸塩を酸と接触させて塩素酸塩を塩素に転化させることによって、塩化物ブラインから塩素酸塩を除去することを開示している。更に、アルキレンオキシドを含むブライン流中に存在するプロピレングリコールのような副生有機化合物が、任意の酸化、抽出又は吸収法によって有利に除去されることが開示されている。
【０００９】
特許文献３は、クロロヒドリンを電解槽のカソード室からの塩化ナトリウム及び水酸化ナトリウムの水溶液と接触させて酸化物及びブラインを生成する、クロロヒドリンを介したオレフィンオキシドの製造と塩素の電解製造のための一貫プロセスを開示している。ブラインを塩素ガスと接触させて、有機不純物を揮発性有機フラグメントへと酸化し、この揮発性有機フラグメントをブラインからストリップしてから、ブラインを電解槽に循環する。
【００１０】
特許文献４及び５の方法では、アルカリ又はアルカリ土類塩化物溶液のような塩水溶液、特にブライン中の有機不純物を塩素酸イオンで酸化させて、有機物質を二酸化炭素に転化する。しかし、この方法は、高圧装置を必要とする１３０℃を超える高温、５未満、最も好ましくは１未満の低ｐＨ、及び塩素化有機化合物を形成する傾向がある塩素酸イオンという厳しい反応条件を用いる。
【００１１】
有機不純物で汚染されたブラインを精製するための従来の方法は、生物学的処理；塩素又は次亜塩素酸塩による酸化；活性炭のような種々の吸収能のある材料上での吸収；溶解又は懸濁された触媒の存在下における又は紫外線照射条件下における過酸化水素による酸化；溶解された又は懸濁された触媒の存在下における酸素ガス、空気又は酸素濃度の高い空気による酸化；オゾンと過酸化水素又は懸濁された触媒との組合せによる酸化である。廃水を含む水溶液系の電気的処理が知られており、例えば、特許文献６及び非特許文献１（これらを引用することによってその全体を本明細書中に組み入れる）に開示されている。しかし、このような電気的処理は、汚染ブラインの処理による汚染物質の低減や、供給プロセス流及び循環プロセス流を含むプロセス流としての精製ブラインの使用のためには行われていない。
【先行技術文献】
【特許文献】
【００１２】
【特許文献１】米国特許第５，４８６，６２７号（Ｑｕａｄｅｒｅｒ，Ｊｒ．他）
【特許文献２】米国特許第５，５３２，３８９号（Ｔｒｅｎｔ他）
【特許文献３】米国特許第４，１２６，５２６号（Ｋｗｏｎ他）
【特許文献４】米国特許第４，２４０，８８５号（Ｓｕｃｉｕ他）
【特許文献５】米国特許第４，４１５，４６０号（Ｓｕｃｉｕ他）
【特許文献６】米国特許第５，３９９，２４７号（Ｃａｒｅｙ他）
【非特許文献】
【００１３】
【非特許文献１】Ｍａｒｔｉｎｅｚ−Ｈｕｉｔｌｅ  ｅｔ  ａｌ．，”Ｅｌｅｃｔｒｏｃｈｅｍｉｃａｌ  Ｏｘｉｄａｔｉｏｎ  ｏｆ  Ｏｒｇａｎｉｃ  Ｐｏｌｌｕｔａｎｔｓ  ｆｏｒ  ｔｈｅ  Ｗａｓｔｅｒ  Ｔｒｅａｔｍｅｎｔ：  Ｄｉｒｅｃｔ  ａｎｄ  Ｉｎｄｉｒｅｃｔ  Ｐｒｏｃｅｓｓｅｓ（廃水処理のための有機汚染物質の電気化学的酸化：直接的及び間接的方法）”，Ｃｈｅｍ．Ｓｏｃ．Ｒｅｖ．，２００６，３５，１３２４〜１３４０
【発明の概要】
【発明が解決しようとする課題】
【００１４】
従って、有機化合物を含むブライン水溶液の精製を更に改善して、ブラインを塩素アルカリ電気分解に使用できるようにする見込みがまだ残っている。
【課題を解決するための手段】
【００１５】
本発明は、分離装置中に塩化ナトリウムの有害な沈殿を生じずに、グリセリンからのエピクロロヒドリン製造に由来するブライン副生成物流のような、高い塩化ナトリウム濃度を有するブライン流の高い全有機炭素（ＴＯＣ）分を低減させる、一段法で実施可能な方法を提供する。化学処理による有機化合物の分解時における不所望に腐蝕性又は毒性のある塩素化有機化合物の形成が、本発明では、回避される。大量の廃水の放出も新たな水の消費も行わずに、約１０ｐｐｍ未満の極めて低いＴＯＣレベルを有する循環可能なブライン流を得ることができる。
【００１６】
本発明は、有機分が低減されたブラインを提供するために効率的なブライン無機化を実施する１工程で利用可能な簡易な方法を提供する。従って、本発明は、供給プロセス流及び／又は循環プロセス流として使用できるように有機分が低減されたブラインの使用を可能にするブラインの処理を提供する。例えば、前述のように、種々のプロセスから得られたブラインが高濃度の有機成分を含む可能性がある。例えば、グリセリンのエピクロロヒドリンへの転化プロセスからブラインを回収して、塩素／アルカリ陽イオン交換膜を用いるような塩素／アルカリプロセスに使用する場合には、ブラインはグリセリンのような有機物質を高濃度で含むことはできない。グリセリンからエピクロロヒドリンへのプロセス（ＧＴＥ）に由来する加水分解装置残液流は、食塩（塩化ナトリウム）を約１６重量％を超える濃度で含む。この流れは、塩素／アルカリ膜プロセス（Ｍｅｍｂｒａｎｅ  Ｃ／Ａ）のような塩素／アルカリプロセスへの循環に値する。本発明は、汚染ブラインから有機汚染をなくす、普通は約０．１０重量％（１０００ｐｐｍ）を上回る濃度で存在するグリセリン及び低濃度〜微量濃度で存在する可能性がある他の有機汚染物質を本質的には除去するための簡易で効率的な技術を提供することによって、このようなプロセス流の効率的な使用を行う。
【００１７】
本発明は、高い有機物質濃度を有するブライン、特にブラインプロセス流を精製するための効率的な方法及び装置を提供する。
【００１８】
本発明は、ブラインの有機分を、好ましくは１工程で低減するための方法及び装置を提供し、意外にも、ブラインの全有機炭素分を一段法で約９９％超も低減させることができる。
【００１９】
本発明は、また、有機分を低減させるために処理されたブライン中の塩素酸塩の濃度を低減させるための、有機分が低減されたブラインの更なる処理を提供する。
【００２０】
本発明は、電気化学的酸化による、好ましくはブライン中の塩素酸塩及び／又は次亜塩素酸塩の濃度を低下させるための精製ブラインの後処理を続いて行う電気化学的酸化による、有機化合物で汚染されたブラインの精製方法を提供する。従って、本発明の電気化学的酸化に続いて、亜硫酸塩による処理のような、塩素酸塩の濃度を低減するための更なる処理を行うことができる。好ましくは、有機分及び塩素酸塩分は、精製ブラインを塩素／アルカリ膜セルのような塩素／アルカリセル（Ｃ／Ａセル）に供給できるような適当なレベルまで低減させる。
【００２１】
本発明は、有機分を含むブライン溶液を、ブラインの有機分を低減させるのに充分な電流及び充分な電圧で充分な時間、電気化学的プロセスに供して、有機分が低減されたブラインを生成することを含んでなる、ブラインの有機分の低減方法を提供する。
【００２２】
本発明は、また、化学プロセスのブライン流を電気化学的酸化に供して、有機分が低減されたブライン流を生成することを含んでなる、化学プロセスにおけるブラインの有機汚染を低減する方法を提供する。
【００２３】
ブラインは、海水から飽和までの、約１重量％から飽和までの、約５重量％から飽和までの、８重量％から飽和までの塩化ナトリウム濃度を有することができ、約１５〜約２２重量％又は約１５〜約２２重量％の範囲を有することができる。
【００２４】
ｐＨは中性〜アルカリ性のｐＨであることができる。
【００２５】
ブラインの低減された有機分のｐＨは、例えば約１〜約３又は約１．５に低下させることができる。
【００２６】
電気化学プロセスのｐＨは約７〜約１０であることができる。
【００２７】
有機分が低減されたブラインの塩素酸塩分及び／又は次亜塩素酸塩分を低下させることができる。
【００２８】
塩素酸塩分は、アルカリ金属亜硫酸塩の添加によって低下させることができ、アルカリ金属亜硫酸塩は亜硫酸ナトリウム若しくは亜硫酸水素ナトリウム又は二酸化硫黄を含むことができる。
【００２９】
電気化学プロセスはチタンアノードを含むことができる。チタンアノードはホウ酸ドープダイヤモンドでコーティングされることができる。
【００３０】
ブライン溶液は有機分を含み、化学プロセス中において流れを構成する。
【００３１】
有機分が低減されたブラインは化学プロセスにおいて循環することができる。
【００３２】
有機分が低減されたブラインは異なる化学プロセスにおける供給材料を構成することができる。
【００３３】
前記プロセスは、グリセリンのエピクロロヒドリンへの転化を含むことができ、有機分が低減されたブラインはグリセリンからエピクロロヒドリンへのプロセスにおいて循環できる。
【００３４】
循環ブラインは塩素酸塩分を低減させるために処理することができる。
【００３５】
化学プロセスは、塩素／アルカリ膜プロセスのような塩素／アルカリプロセスであることができる。
【００３６】
有機分が低減されたブラインは、化学プロセスにおける循環、異なる化学プロセスへの供給及び貯蔵の少なくとも１つを行うことができる。
【００３７】
有機分が低減されたブラインは、塩素酸塩及び次亜塩素酸塩の少なくとも１種を除去するために処理することができる。
【図面の簡単な説明】
【００３８】
図面の簡単な説明
本発明を、以下の詳細な説明において本発明の典型的な態様の非限定例としての図面の図を参照して更に説明する。
【００３９】
【図１】処理されたブラインをＣ／Ａセルに循環する、グリセリンのエピクロロヒドリンへの転化プロセスのための電気化学的促進酸化及び任意的な塩素酸塩除去を示す、本発明の一態様のブロック流れ図である。
【図２】電気化学的促進酸化のためのセルの一態様を示す。
【発明を実施するための形態】
【００４０】
発明の詳細な説明
以下の詳細は、例証として、本発明の態様の事例的解説のみを目的として記載し、本発明の原則及び概念的態様の最も有用で理解し易い説明と考えられるものを提供するために示す。これに関して、本発明の基本的理解に必要とされるより詳しく本発明の構造上の詳細を示すことはしないが、図面を用いて説明することにより、本発明のいくつかの形態を実際に具体化できる方法が当業者に明らかになる。
【００４１】
特に断らない限り、化合物又は成分への言及は、その化合物又は成分を単独で、及び化合物の混合物のように他の化合物又は成分との組合せで含む。
【００４２】
本明細書中で使用する単数形（ａ，ａｎ，ｔｈｅ）の表現は、前後関係からそうでないことが明白に示されない限り、複数の指示対象を含む。
【００４３】
特に断らない限り、本明細書及び特許請求の範囲において使用する成分の量、反応条件などを表す全ての数値は、あらゆる場合において用語「約」によって修飾されるものと理解すべきである。従って、そうでないことが示されない限り、以下の明細書及び添付した「特許請求の範囲」中に記載した数値パラメーターは、本発明が得ようとする目的の性質によって異なり得る近似値である。最低限でも、請求項の範囲への均等論の適用を制限しようとする意図と見なされないように、各数値パラメーターは、報告した有効数字の数を考慮して、普通の丸めを適用することによって解釈しなければならない。
【００４４】
更に、本明細書内における数値範囲の列挙は、その範囲内の全ての数値及び範囲を開示するものと見なす。例えば、範囲が約１〜約５０であるならば、例えば１，７、３４、４６．１、２３．７又はその範囲内の全ての他の値若しくは範囲を含むと見なす。
【００４５】
本発明は、精製ブラインの使用とは独立して、ブラインの精製に一般に使用できる。
【００４６】
ブラインは、塩化カリウム及び／又は塩化ナトリウム塩溶液のような塩溶液を含み、最も一般的には塩化ナトリウム塩溶液を含む。ブラインは任意のブライン溶液を含むことができ、海水中の塩濃度と同程度の低濃度及び溶液中の塩の飽和と同程度の高い塩濃度を有するブライン溶液を含むことができ、更には過飽和の濃度で存在することもできる。ブラインは通常、最大で約２２重量％の、塩化ナトリウム濃度のような塩濃度を含む。例えば、ブラインは、約１重量％から飽和までの、約５重量％から飽和までの、約８重量％から飽和までの濃度で塩化ナトリウムを含む塩溶液であることができ、この範囲は約８〜約１２重量％又は約１５〜約２２重量％の範囲であることができる。
【００４７】
本発明は、電気化学的酸化及び好ましくはその後の後処理によって、通常約５重量％又はそれ以上の塩化ナトリウム濃度を有するブライン中の有機汚染を低減する方法を提供する。電気化学的酸化は、電気回路の一部である電極を装着した容器中で実施する。電極は種々の材料から構成されることができ、この方法はプロセス効率を改善するための物質を添加して実施できる。電流及び電圧の条件、処理容器中の保持時間並びに汚染除去すべきブラインの温度及びｐＨは、汚染除去を行うために調整できる。更にまた、本発明は、必要に応じて塩素酸塩分を適度に低いレベルまで低減させるような、電気化学プロセスで処理されたブラインの任意的な後処理のための操作を提供する。
【００４８】
電気化学的促進酸化による有機汚染の低減において、粗（有機物質で汚染された）ブラインが電気化学的酸化によって処理された場合には、処理ブライン中の塩素酸塩及び／又は次亜塩素酸塩の濃度が増大されている可能性がある。塩素酸塩及び／又は次亜塩素酸塩は、特にそれらの存在がプロセス条件の妨害物質となり且つ／又はプロセス環境に有害である場合には、必要に応じて処理ブラインから除去することができる。従って、１種又はそれ以上のアルカリ金属亜硫酸塩のような還元剤、例えば亜硫酸ナトリウムを処理ブラインに添加して、塩素酸塩及び次亜塩素酸塩の濃度を低下させることができる。処理ブラインのｐＨを約１〜約３，例えば約１．５に低下させて、次亜塩素酸塩を塩素に転化させることができ、塩素は、蒸気又は空気又は窒素を用いるなどしてストリップできる。更に、これらの技術の併用により、還元剤の使用とｐＨ低下の両方の利益を得ることができる。例えば塩素酸塩が妨害物質となる隔膜又は膜塩素／アルカリプロセスにブラインを用いる場合には、塩素酸塩除去が必要である。更に、ブラインが酸性でなければならないプロセスにおいては、酸処理が有用となる。
【００４９】
本発明は、塩素酸塩及び／又は次亜塩素酸塩を低減するための一段化学プロセスと任意的に組み合わされた一段電気化学プロセスで有機汚染を低減できる点において、他の方法とは異なる。
【００５０】
本発明は、有機汚染を許容され得る程度に低いレベルまで、例えば、この方法で精製されたブラインを塩素／アルカリプロセスへの供給のように種々のプロセスに直接使用できるようなレベルまで、一段法で低減できる点において、他の代替方法とは異なる。本発明が提供する方法は、電気エネルギーが経済的にコスト競争力がある場合に特に適当である。本発明は、高度の自動化と低い監視レベルを可能にする。従って、本発明は、簡易さ、耐久性及び比較的低いと考えられるコストを含む種々の利点を提供する。
【００５１】
本発明は、ブライン副生成物流の全有機炭素（ＴＯＣ）分の低減によって、約１０ｐｐｍ未満の全有機炭素分を有する循環可能なブライン流のようなブライン流を生成できる。本発明に従って処理できるブライン循環流は、前述のような種々の塩化ナトリウム分を有することができ、ブライン副生成物流の重量に基づき約１５〜約２３重量％の塩化ナトリウム、約２００〜約２０，０００ｐｐｍ又は約５００〜約１０，０００ｐｐｍ又は約５００〜約５，０００ｐｐｍの高いＴＯＣ分を含み、ｐＨが約７〜約１４又は約８〜約１３又は約１０〜約１２．５であることができる。
【００５２】
精製又は循環可能なブライン流は、本発明において得られた循環可能なブライン流の重量に基づき、約１５〜約２３重量％の塩化ナトリウム分及び約１０ｐｐｍ未満のＴＯＣを含み、種々のオンサイト、ローカル又はオフサイトプロセスで使用できる。このようなプロセスの典型的なものは、塩素／アルカリプロセス、塩素及び苛性アルカリの製造、エポキシドの製造などのための電気化学プロセス、塩素アルカリ膜プロセスなどである。
【００５３】
本発明に従って処理するブライン副生成物流は、水、塩化ナトリウム及びＴＯＣが存在する廃棄物流、循環流又は副生成物流中の任意の流れであることができる。本発明のＴＯＣ低減方法を適用できるブライン流の代表的なものは、ブライン供給流又はプロセスで生成されたブライン流、例えばグリセリンからのエピクロロヒドリンの製造において得られる循環又は副生成物ブライン流、液体エポキシ樹脂（ＬＥＲ）又は他のエポキシ樹脂ブライン／塩循環流、他のクロロヒドリンブライン循環流、イソシアネートブライン循環流、海水、浄水流からのリジェクト流、例えば逆浸透装置からのリジェクト流、化学プロセスからの廃ブライン流、塩素／アルカリプロセスへの供給ブライン流、及び特に有機物質に感受性の塩素／アルカリプロセス中の供給流である。グリセリンのような除去の困難な有機化合物を相当量含むブライン循環流でも、低いＴＯＣレベルを得ることができる。
【００５４】
例えば、本発明の方法は、グリセリンからのエピクロロヒドリンの製造において生成されるブライン副生成物流の処理に特に適用できる。本発明に従って処理できる、グリセリン−エピクロロヒドリン（ＧＴＥ）プロセスに由来するブライン副生成物流は少なくとも約２００ｐｐｍ、一般に少なくとも約５００ｐｐｍ、例えば約１０００〜約２５００ｐｐｍの平均全有機炭素（ＴＯＣ）分を有することができ、約１５００ｐｐｍであることができる。本発明のＴＯＣ低減に供するＧＴＥブライン副生成物流は、全有機炭素分の重量に基づき、少なくとも約５０重量％、一般に少なくとも約７０重量％のグリセリン分、及びブライン副生成物流の重量に基づき、約１５〜約２３重量％の塩化ナトリウム分を有することができる。ＧＴＥ副生成物流中のＴＯＣの原因となる他の有機化合物には、グリシドール、アセトール、ビス−エーテル類、ジクロロプロピルグリシジルエーテル類、１，３−ジクロロ−２−プロパノール、２，３−ジクロロ−１−プロパノール、１−クロロ−２，３−プロパンジオール若しくは２−クロロ−１，３−プロパンジオール、エピクロロヒドリン、ジグリセロール、トリグリセロール、他のオリゴマーグリセロール、オリゴマーグリセロールのクロロヒドリン、酢酸、蟻酸、乳酸、グリコール酸及び他の脂肪酸がある。
【００５５】
いくつかの有機化合物の量を、ブライン水溶液中の各有機化合物の総重量に基づき、下記表Ｉに示す。
【００５６】
【表１】
2010536562.tif 000002
【００５７】
電気化学的酸化に使用する電極は、ブラインの有機分を低下させることができる種々の材料から構成されることができる。好ましくは、ホウ素ドープダイヤモンドでコーティングされたチタンアノードを用いてアノード酸化を行うことができる。Ｔｉ−ダイヤモンド−Ｂアノードを用いると、特にＯ2及びＣｌ2の発生（水及び塩化ナトリウムの電気分解）に関する高い過電圧のため、本発明によって優れた結果を得られる。このような電極はＡｄａｍａｎｔ−ＣＨ，Ｍａｇｎｅｔｏ−ＮＬ，Ｃｏｎｄｉａｓ−Ｄから市販されている［ＤＩＡＣＨＥＭ（登録商標）］。このように、Ｏ2及びＣｌ2をそれほど発生させずにブラインの有機炭素分を低下でき、有機分の低下に選択的である。
【００５８】
理論によって拘束するつもりはないが、有機化合物の酸化に使用可能な、約２．７Ｖの並外れて高い酸化電位を有するＯＨラジカルが電気化学的酸化において発生する。
【００５９】
本発明に係る有機物質の無機化は、グリセリンからエピクロロヒドリンへの転化において特に有用であり、グリセリンのような有機物質を無機化することができ（ひいては低減させることができ）、例えば二酸化炭素を形成することができる。本発明は、有害な副反応を起こさずに有機物質が二酸化炭素に高効率で酸化されるので、化学プロセスにおいて有用なブラインを処理するのに特に有用である。グリセリンのような除去の困難な有機物質を低減させる場合でさえ、有害な副反応を起こさずに低いＴＯＣ分を得ることができる。
【００６０】
理論によって拘束するつもりはないが、本発明に係る化学電気的酸化は、１つの物質から、より低い自由エネルギーを有する別の物質を生成するのに電子を除去することによる酸化を含む方法である。電気的酸化は、試薬を製造及び精製してからその試薬を使用することを含む化学酸化よりも簡易である。本発明においては、試薬を「現場で（in situ）」生成するか、又は酸化を電極表面で直接行う。
【００６１】
図１に示すように、一般的に数字１０で表される本発明の方法の一態様が示されている。方法１０は、グリセリンからのエピクロロヒドリンの製造（ＧＴＥ）プロセス１１への循環プロセス水の供給に特に有用である。図１に示されるように、１１のＧＴＥプロセスからの汚染プロセス水１６は、汚染プロセス水１６の温度を上昇又は低下させる任意的な熱交換器１２を通して送られることができる。熱交換器１２からの汚染プロセス水１７は、電気化学的促進酸化セル１３（その一態様を図２に示す）に送られ、そこで汚染プロセス水１７の有機分が低減される。電気化学的促進酸化セル１３から、有機分が低減された水１８が、二酸化炭素除去のための任意のｐＨ調整及び／又は亜硫酸ナトリウムの添加などによる塩素酸塩の除去のための処理のために、装置１４に送られる。次に、有機分と塩素酸塩が低減された水１９が、この方法で使用される循環プロセス水としてＣ／Ａセル１５に送られる。Ｃ／Ａセル１５からのブライン流２０は、ＧＴＥプロセス１１への供給流として使用されることができる。
【００６２】
図２は、一般に数字３０で表される、本発明に係る典型的な電気化学的促進酸化セルを示している。電気化学反応器３０は、処理すべきブライン溶液５０を含むハウジング３１を含む。電気化学セル３０には、ホウ素ドープダイヤモンドでコーティングされたチタン（これに限定するものではないが）のようなアノード３２とカソード３３も装着されている。循環ポンプ３４によって、電気化学反応器３０のブライン内容物５０が撹拌される。電気回路を通る電流量の調整は、電力供給装置３５によって行われる。電気化学反応器中の温度調整は、熱交換器３６を用いて行われることができ、熱交換器３６は電気化学反応器３０に対して任意の場所に配置されることができる。図２において、熱交換器３６は例えば、電気化学セル３０への供給流中のライン３７と３８の間に配置されることができる。加熱された流れ３８は、例えばＧＴＥプロセスからの水、ＮａＣｌ及び有機物質を含むことができる。処理されたブライン生成物流３９は、例えばＣ／Ａプロセスに送られることができる水及びＮａＣｌを含むことができる。二酸化炭素ガス流及び水素ガス流は、それぞれ流れ４０及び４１を経て電気化学反応器から出ていくことができる。
【００６３】
電気化学反応器３０の温度は、例えば約室温又は高温、例えば約２０℃又はそれ以上、約３０℃又はそれ以上、約４０℃又はそれ以上であることができ、約２０〜７０℃の範囲の温度であることができる。電気化学反応器の内容物のｐＨの調整は、供給材料又は反応器バルク内容物のｐＨの調整によって行うことができる。例えばｐＨは中性又はアルカリ性であることができ、非限定的範囲は約７〜約１０である。反応器３０の内容物の水理学的滞留時間（hydraulic residence time）も調整できる。
【００６４】
滞留時間、電位及び温度を調整して、有機分を望ましく低減させることができる。電気化学的酸化は、定電圧又は定電流モードで行うことができる。
【００６５】
任意的に、前述のように、亜硫酸ナトリウムを、塩素酸塩及び／又は次亜塩素酸塩を所望のレベルに低減させるのに充分な量で、例えば約５００〜約５０，０００ｍｇ／リットルの濃度でブラインに添加できる。電気化学的に処理されたブラインの任意的な後処理は、電気化学的酸化においてしばしば共生成される塩素酸塩を低減させる。
【００６６】
また、前述のように、酸性化及び蒸気又は空気又は窒素などによるストリッピングによって、次亜塩素酸塩の低減のために電気化学的に処理されたブラインの任意的な後処理を行うこともできる。
【００６７】
任意的な後処理は、高温を含む種々の温度で実施でき、好ましくは約４０℃より高温で行う。
【００６８】
任意的に、炭酸カルシウムのようなアルカリ土類金属炭酸塩の添加とそれに続く沈殿アルカリ土類金属硫酸塩の除去による硫酸塩の除去が塩素酸塩の低減に対してコンプリメンタリ（complimentary）である。
【００６９】
本明細書中に引用した全ての参考文献は、引用することによって本明細書中に具体的に組み入れる。
【実施例】
【００７０】
以下に示す実施例は、ブラインの有機分の驚くべき低減を含む本発明の重要な利点を示す。特に断らない限り、部は全て重量基準である。
【００７１】
実施例１
装置は、アノード及びカソードが取り付けられたホルダー；電磁撹拌機；貯蔵容器から供給材料を補給するためのペリスタポンプに接続された短管入口ピース；収集容器への反応器流出液のオーバーフローのための短管出口ピース；反応器ジャケットの入口及び出口管ピースに接続されたサーモスタットを装着した有効容積０．３２リットルのジャケット付きガラス反応器からなるものであった。電極は、２２０Ｖの電力供給によって動作する整流装置の適切な極に接続した。反応器ジャケットは更にクリオスタットに接続され、反応器内容物の温度を４０℃の一定に保持するように調整された。
【００７２】
反応器に、ｐＨ１０に調整された、１８％の塩化ナトリウム分及び１７００ｍｇ／ｌの溶存有機炭素（ＤＯＣ）に相当する有機分を有する粗ブラインを充填した。供給材料貯蔵容器は同じ材料を含んでいた。撹拌機及びクリオスタットを始動後、供給ポンプを、約１８０分の水理学的平均滞留時間に相当する１．８ｍｌ／分の速度で始動した。次いで、整流器を、２０ＡのＤＣ電流を送出するように調整した。電流及び電圧を一定間隔で監視した。電圧は、電極クランプに直接接続された電圧計で監視した。反応器内容物の温度も監視し；流出液のｐＨをｐＨカラーストライプ（Ｍｅｒｃｋ（登録商標））を用いて一定間隔で測定した。１０時間の実験時間中、エネルギー消費量は平均して０．２３８ｋWhであった。ＤＯＣとしての流出液の有機汚染は、６．３ｍｇ／リットル＋／−１ｍｇ／リットルであることがわかった。未処理ブライン中では検出限界未満である次亜塩素酸ナトリウムの濃度が６００５ｍｇ／ｌまで増加されていた。粗ブライン中では無視できるほど小さい塩素酸塩濃度は、平均して３４ｇ／ｌまで増加されていることがわかった。収集された流出液１００ｍｌを、３２％塩酸水溶液の添加によってｐＨ１．５まで酸性化してから、電熱ジャケット、電磁撹拌機、冷水供給源にされた還流冷却器及び滴下漏斗を装着した丸底ガラスフラスコ中に入れた。蒸留水３０ｍｌ中亜硫酸ナトリウム１５．４ｇの溶液を滴下漏斗に入れた。丸底フラスコの内容物を１００℃に加熱し、その後に滴下漏斗の内容物を一度にフラスコに加えた。反応混合物を同じ温度で３０分撹拌し、加熱を停止し、フラスコ内容物を周囲温度まで冷却させ、電気化学的検出を用いるイオンクロマトグラフィーによって塩素酸塩について分析した。塩素酸塩濃度は１００ｍｇ／ｌまで低下していた。
【００７３】
実施例２
塩化ナトリウム１９．８％及びＤＯＣ分１９００ｍｇ／ｌを含むブライン０．３２リットルを反応器に入れ、同じ材料約１０００ｍｌを供給材料貯蔵容器に入れた。電流を１０Ａの一定に調整する以外は前述と同じ条件下で反応を実施した。エネルギー消費量は０．１４５ｋＷｈであり、供給速度は、反応器中の４時間の平均水理学的滞留時間に相当する１．３ｍｌ／分であった。流出液を前述のようにして収集し、分析した。ＤＯＣ分は３５ｍｇ／ｌであり、塩素酸塩分は５８５０ｍｇ／ｌであり、次亜塩素酸ナトリウム分は７５５０ｍｇ／ｌであった。この材料１００ｍｌを、前述の実験と同様な丸底フラスコに入れ、３２％塩酸の添加によってｐＨ１．５まで酸性化した。内容物を１００℃に加熱し、同温度で６０分間撹拌した。次いで、サンプルを取り出し、電位差滴定終点認識を用いるヨウ素滴定によって次亜塩素酸ナトリウムについて分析した。次亜塩素酸ナトリウム分は、５ｍｇ／ｌであるこの方法の検出限界未満のレベルまで低下していた。その後、ｐＨを、３２％塩酸水溶液の添加によって１．０に再調整し、丸底フラスコに移し、撹拌しながら１００℃に加熱し、蒸留水５ｍｌに溶解させた亜硫酸ナトリウム２．６５ｇの溶液を一度に添加した。フラスコ内容物を同じ温度で３０分間撹拌した後、周囲温度まで冷却させ、最後にイオンクロマトグラフィーによって塩素酸塩について分析した。塩素酸塩分は１００ｍｇ／ｌまで低下していた。
【００７４】
前記実施例は、説明のみを目的として記載したのであって、本発明を限定するものと解してはならないことに注意する。本発明を典型的な態様に関して記載したが、本明細書中に記載した文言は限定文言ではなく、記載文言及び説明文言であることがわかる。添付した「特許請求の範囲」（現在の記載及び補正を含む）の範囲内で、その態様において本発明の範囲及び精神から逸脱することなく、変更を行うことができる。本発明を本明細書中において特定の手段、材料及び態様に関して記載したが、本発明は明細書中に開示した個々の項目に限定するものではなく、本発明は、添付した請求項の範囲内であるような全ての機能的に均等な構造、方法、プロセス及び使用法にまで及ぶ。
【図１】
2010536562.tif 000003
【図２】
2010536562.tif 000004
【手続補正書】
【提出日】平成22年6月17日(2010.6.17)
【手続補正１】
【補正対象書類名】明細書
【補正対象項目名】００７４
【補正方法】変更
【補正の内容】
【００７４】
前記実施例は、説明のみを目的として記載したのであって、本発明を限定するものと解してはならないことに注意する。本発明を典型的な態様に関して記載したが、本明細書中に記載した文言は限定文言ではなく、記載文言及び説明文言であることがわかる。添付した「特許請求の範囲」（現在の記載及び補正を含む）の範囲内で、その態様において本発明の範囲及び精神から逸脱することなく、変更を行うことができる。本発明を本明細書中において特定の手段、材料及び態様に関して記載したが、本発明は明細書中に開示した個々の項目に限定するものではなく、本発明は、添付した請求項の範囲内であるような全ての機能的に均等な構造、方法、プロセス及び使用法にまで及ぶ。
以下に、本発明及びその関連態様を列挙する。
態様１．有機分を含むブラインの溶液を、当該ブラインの有機分を低減させるのに充分な電圧で充分な時間、電気化学プロセスに供して、有機分が低減されたブラインを得ることを含んでなる、ブラインの有機分を低減せしめる方法。
態様２．前記ブラインが海水の塩化ナトリウム濃度から飽和までの塩化ナトリウム濃度を有する態様１に記載の方法。
態様３．前記ブラインが約１重量％から飽和までの塩化ナトリウム濃度を有する前掲の態様のいずれか１項に記載の方法。
態様４．前記ブラインが約５重量％から飽和までの塩化ナトリウム濃度を有する前掲の態様のいずれか１項に記載の方法。
態様５．前記ブラインが約８重量％から飽和までの塩化ナトリウム濃度を有する前掲の態様のいずれか１項に記載の方法。
態様６．前記ブラインが約１５〜２２重量％の塩化ナトリウム濃度を有する前掲の態様のいずれか１項に記載の方法。
態様７．前記ブラインが約１５〜２２重量％の塩化ナトリウム濃度を有する前掲の態様のいずれか１項に記載の方法。
態様８．ｐＨが中性〜アルカリ性ｐＨである前掲の態様のいずれか１項に記載の方法。
態様９．前記の有機分が低減されたブラインのｐＨを低減させることを更に含む前掲の態様のいずれか１項に記載の方法。
態様１０．前記の有機分が低減されたブラインのｐＨを約１〜３に低減させる前掲の態様のいずれか１項に記載の方法。
態様１１．前記の有機分が低減されたブラインのｐＨを約１．５に低減させる前掲の態様のいずれか１項に記載の方法。
態様１２．前記電気化学プロセスのｐＨが約７〜１０である前掲の態様のいずれか１項に記載の方法。
態様１３．前記の有機分が低減されたブラインの塩素酸塩分を低減させることを更に含む前掲の態様のいずれか１項に記載の方法。
態様１４．前記の有機分が低減されたブラインの次亜塩素酸塩分を低減させることを更に含む前掲の態様のいずれか１項に記載の方法。
態様１５．前記塩素酸塩分を、アルカリ金属亜硫酸塩若しくはアルカリ金属亜硫酸水素塩又は二酸化硫黄の添加によって低減させる前掲の態様のいずれか１項に記載の方法。
態様１６．前記アルカリ金属亜硫酸塩が亜硫酸ナトリウムを含む態様１５に記載の方法。
態様１７．前記アルカリ金属亜硫酸水素塩が亜硫酸水素ナトリウムを含む態様１５に記載の方法。
態様１８．前記電気化学プロセスがチタンアノードを含む前掲の態様のいずれか１項に記載の方法。
態様１９．前記チタンアノードがホウ素ドープダイヤモンドでコーティングされている態様１８に記載の方法。
態様２０．前記の有機分を含むブライン溶液が化学プロセスにおける流れを含む前掲の態様のいずれか１項に記載の方法。
態様２１．前記の有機分が低減されたブラインを前記化学プロセスにおいて循環する態様２０に記載の方法。
態様２２．前記の有機分が低減されたブラインが異なる化学プロセスにおける供給物を含む態様２０又は２１に記載の方法。
態様２３．前記プロセスがグリセリンからエピクロロヒドリンへの転化を含む態様２０〜２２のいずれか１項に記載の方法。
態様２４．前記の有機分が低減されたブラインを、グリセリンからエピクロロヒドリンへのプロセスに循環する態様２０〜２３のいずれか１項に記載の方法。
態様２５．前記の循環ブラインを処理して、塩素酸塩分を低減させる態様２４に記載の方法。
態様２６．前記化学プロセスが塩素／アルカリプロセスである態様２０に記載の方法。
態様２７．前記化学プロセスが塩素／アルカリ膜プロセスである態様２６に記載の方法。
態様２８．化学プロセスのブライン流を電気化学的酸化に供して、有機分が低減されたブライン流を得ることを含んでなる、化学プロセスにおけるブラインの有機汚染を低減せしめる方法。
態様２９．前記の有機分が低減されたブラインが前記化学プロセスにおける循環、異なる化学プロセスへの供給及び貯蔵の少なくとも１つである態様２８に記載の方法。
態様３０．前記の有機分が低減されたブラインを処理して、塩素酸塩及び次亜塩素酸塩の少なくとも１種を除去する態様２８又は２９に記載の方法。
態様３１．化学プロセスのブライン流を、態様１に記載された精製プロセスに供することを含んでなり、精製されたブラインの有機分が、同じ化学プロセス又は異なる化学プロセスにおいて循環させるのに充分低い、化学プロセスにおけるブラインの有機汚染を低減せしめる方法。
態様３２．前記化学プロセスがエピクロロヒドリンの製造方法であり、そして前記の異なる化学プロセスが塩素アルカリプロセスである態様３１に記載の方法。
態様３３．前記化学プロセスがポリフェノール化合物をエピクロロヒドリンと反応させてエポキシ樹脂を製造する方法であり且つ前記の異なる化学プロセスが塩素アルカリプロセスである態様３１に記載の方法。
態様３４．前記化学プロセスがビスフェノールＡ及びエピクロロヒドリンから液体エポキシ樹脂又は固体エポキシ樹脂を製造する方法である態様３３に記載の方法。
態様３５．前記化学プロセスがビスフェノールＦ又はビスフェノールＦオリゴマー及びエピクロロヒドリンからの液体エポキシノボラック樹脂を製造する方法である態様３３に記載の方法。
態様３６．前記化学プロセスが塩酸の存在下においてフェノール及びホルムアルデヒドからメチレンジアニリン又はポリメチレンジアニリンオリゴマーを製造する方法である態様３１に記載の方法。
態様３７．前記化学プロセスがグリセリンからのエピクロロヒドリンを製造する方法である態様３１に記載の方法。
態様３８．第２の再溶解工程において得られる第２の精製ブライン溶液中に存在する塩化ナトリウムの量に対する有機化合物の量の重量比が、工程（１）において供給される水性ブライン溶液中に存在する塩化ナトリウムの量に対する有機化合物の量の重量比の約１／１００未満である態様３１〜３７のいずれか１項に記載の方法。
態様３９．前記の１種又はそれ以上の有機化合物が（ａ）１種又はそれ以上のマルチヒドロキシル化脂肪族炭化水素化合物、それらのエステル及び／若しくはそれらのモノエポキシド、並びに／又はそれらの二量体、三量体及び／若しくはオリゴマー並びに／又はそれらのハロゲン化及び／若しくはアミノ化誘導体、（ｂ）１種又はそれ以上の炭素数１〜１０の有機酸、それらのエステル、それらのモノエポキシド及び／又はそれらの塩、（ｃ）１種又はそれ以上のアルキレンビスフェノール化合物並びに／又はそれらのエポキシド、ジオール及び／若しくはクロロヒドリン、更に／或いは（ｄ）アニリン、メチレンジアニリン及び／又はフェノールを含む前掲の態様のいずれか１項に記載の方法。
態様４０．前記の１種又はそれ以上のマルチヒドロキシル化脂肪族炭化水素化合物がグリセロールを含む態様３９に記載の方法。
態様４１．前記の１種又はそれ以上の有機酸が蟻酸、酢酸、乳酸及び／又はグリコール酸を含む態様３９に記載の方法。
態様４２．前記の１種又はそれ以上のアルキレンビスフェノール化合物がビスフェノールＡ及び／又はビスフェノールＦを含む態様３９に記載の方法。
態様４３．工程（１）において供給される前記ブライン水溶液が、１種又はそれ以上のクロロヒドリンと水酸化ナトリウムとの反応によるクロロヒドリンのエポキシ化によって、生成される態様３９〜４２のいずれか１項に記載の方法。
態様４４．前記のクロロヒドリンが、反応器中で塩化水素化条件下において、グリセロール及び／若しくはそれらのエステル並びに／又はモノクロロヒドリン及び／若しくはそれらのエステルを含む液相反応混合物と少なくとも１種の塩素化剤を含む少なくとも１種の塩素化供給流とを、任意的に水、１種若しくはそれ以上の触媒並びに／又は１種若しくはそれ以上の重質副生成物の存在下で、接触させることによって製造される態様４３に記載の方法。
態様４５．工程（１）において供給される前記ブライン水溶液が、少なくとも１種のアルキレンビスフェノール化合物のエポキシ化によって、生成される態様３９、４２又は４３のいずれか１項に記載の方法。
態様４６．工程（１）において供給される前記ブライン水溶液が、アニリン、メチレンジアニリン及び／又はフェノールを含み、且つメチレンジアニリン（ＭＤＡ）を製造するためのアニリンとホルムアルデヒドとの反応を触媒するのに使用される塩化水素の水酸化ナトリウム中和によって生成される態様３９に記載の方法。
態様４７．塩化水素の水酸化ナトリウム中和によって生成された前記ブライン水溶液を共沸蒸留に供して、前記ブライン水溶液中に存在するアニリン及び／又はメチレンジアニリンの少なくとも５０重量％を除去してから、工程（１）の前記ブライン水溶液を供給する態様４６に記載の方法。
態様４８．工程（１）において供給される前記ブライン水溶液が、第１の再溶解操作の前に、アニリン及び／又はメチレンジアニリンを除去するためのストリッピング操作に供されていない態様４７に記載の方法。
態様４９．工程（１）において供給される前記ブライン水溶液の全有機炭素濃度（ＴＯＣ）が少なくとも約２００ｐｐｍである前掲の態様のいずれか１項に記載の方法。
態様５０．工程（１）において供給される前記ブライン水溶液の無機塩の約５重量％未満が炭酸イオン及び／又は硫酸イオンを有する塩である前掲の態様のいずれか１項に記載の方法。
態様５１．工程（２）において得られる前記精製ブライン溶液が約１０ｐｐｍ未満の全有機炭素濃度を有する前掲の態様のいずれか１項に記載の方法。
態様５２．前記精製ブラインを、塩素アルカリプロセスによって（ａ）水酸化ナトリウム及び（ｂ）塩素ガス又は次亜塩素酸塩を製造するためのブライン出発原料の少なくとも一部として電解槽のアノード側に投入する前掲の態様のいずれか１項に記載の方法。
態様５３．前記方法が連続法である前掲の態様のいずれか１項に記載の方法。
【手続補正２】
【補正対象書類名】特許請求の範囲
【補正対象項目名】全文
【補正方法】変更
【補正の内容】
【特許請求の範囲】
【請求項１】
（ａ）化学プロセスからの流れを含む有機分含有ブライン溶液を供給し；
（ｂ）有機分を含むブライン溶液を電気化学酸化プロセスに供して、当該ブライン溶液の有機分を低減させかつ有機分が低減されたブラインを得；そして
（ｃ）前記ブライン溶液生成物流に硫黄含有剤を添加して、ブライン溶液生成物流の塩素酸塩及び／又は次亜塩素酸塩含量を低減しかつ低減された塩素酸塩及び／又は次亜塩素酸塩含量を有するブライン溶液生成物流を得る工程を含んでなるブライン溶液の有機分を低減せしめる方法。
【請求項２】
前記ブライン生成物流が（ｉ）前記化学プロセスに循環されるか、（ii）異なる化学プロセスに供給されるか；又は（iii）貯蔵される請求項１に記載の方法。
【請求項３】
前記化学プロセスがグリセリンからエピクロロヒドリンへの転化プロセスを含み；そしてブライン生成物流をグリセリンをエピクロロヒドリンへ転化するプロセスに循環する請求項１に記載の方法。
【請求項４】
前記化学プロセスが（ｉ）ポリフェノール化合物をエピクロロヒドリンと反応させてエポキシ樹脂を製造するプロセス；（ii）ビスフェノールＡ及びエピクロロヒドリンから液体エポキシ樹脂又は固体エポキシ樹脂を製造するプロセス；（iii）ビスフェノールＦ又はビスフェノールＦオリゴマー及びエピクロロヒドリンから液体エポキシノボラック樹脂を製造するプロセス；又は（iv）塩酸の存在下においてフェノール及びホルムアルデヒドからメチレンジアニリン又はポリメチレンジアニリンオリゴマーを製造するプロセスである請求項１に記載の方法。
【請求項５】
前記ブライン生成物流を異なる化学プロセスに供給し；その異なる化学プロセスが塩素アルカリプロセスである請求項２に記載の方法。
【請求項６】
前記ブラインが１重量％から飽和までの塩化ナトリウム濃度を有し：そして前記ブライン生成物流中に存在する塩化ナトリウムの量に対する有機化合物の量の重量比が、工程（ａ）において供給されるブライン溶液中に存在する塩化ナトリウムの量に対する有機化合物の量の重量比の１／１００未満である請求項１に記載の方法。
【請求項７】
前記電気化学酸化プロセスのｐＨが７〜１０であり；前記ブライン生成物流のｐＨが中性〜アルカリ性ｐＨであり；そして前記ブライン生成物流のｐＨを１〜３に低減させる工程を更に含む請求項１に記載の方法。
【請求項８】
前記硫黄含有剤がアルカリ金属亜硫酸塩、アルカリ金属亜硫酸水素塩及び二酸化硫黄の一つを含む請求項１に記載の方法。
【請求項９】
前記電気化学酸化プロセスがホウ素ドープダイヤモンドでコーティングされているチタンアノードを含む請求項１に記載の方法。
【請求項１０】
前記ブライン溶液がブライン水溶液で１種又はそれ以上の有機化合物を含み；そして前記の１種又はそれ以上の有機化合物が（ｉ）１種又はそれ以上のマルチヒドロキシル化脂肪族炭化水素化合物、それらのエステル及び／若しくはそれらのモノエポキシド、並びに／又はそれらの二量体、三量体及び／若しくはオリゴマー並びに／又はそれらのハロゲン化及び／若しくはアミノ化誘導体、（ii）１種又はそれ以上の炭素数１〜１０の有機酸、それらのエステル、それらのモノエポキシド及び／又はそれらの塩、（iii）１種又はそれ以上のアルキレンビスフェノール化合物並びに／又はそれらのエポキシド、ジオール及び／若しくはクロロヒドリン、更に／或いは（iv）アニリン、メチレンジアニリン及び／又はフェノールを含む請求項１に記載の方法。
【請求項１１】
前記の１種又はそれ以上のマルチヒドロキシル化脂肪族炭化水素化合物がグリセロールを含み；前記の１種又はそれ以上の有機酸が蟻酸、酢酸、乳酸及び／又はグリコール酸を含み；又は前記の１種又はそれ以上のアルキレンビスフェノール化合物がビスフェノールＡ及び／又はビスフェノールＦを含む請求項１０に記載の方法。
【請求項１２】
（ｉ）工程（ａ）において供給される前記ブライン水溶液が、１種又はそれ以上のクロロヒドリンと水酸化ナトリウムとの反応によるクロロヒドリンのエポキシ化によって、生成され；前記のクロロヒドリンが、反応器中で塩化水素化条件下において、グリセロール及び／若しくはそれらのエステル並びに／又はモノクロロヒドリン及び／若しくはそれらのエステルを含む液相反応混合物と少なくとも１種の塩素化剤を含む少なくとも１種の塩素化供給流とを、任意的に水、１種若しくはそれ以上の触媒並びに／又は１種若しくはそれ以上の重質副生成物の存在下で、接触させることによって製造され；（ii）工程（ａ）において供給される前記ブライン水溶液が、少なくとも１種のアルキレンビスフェノール化合物のエポキシ化によって、生成されるか；又は（iii）工程（ａ）において供給される前記ブライン水溶液が、アニリン、メチレンジアニリン及び／又はフェノールを含み、且つメチレンジアニリンを製造するためのアニリンとホルムアルデヒドとの反応を触媒するのに使用される塩化水素の水酸化ナトリウム中和によって生成され；そして塩化水素の水酸化ナトリウム中和によって生成された前記ブライン水溶液を共沸蒸留に供して、前記ブライン水溶液中に存在するアニリン及び／又はメチレンジアニリンの少なくとも５０重量％を除去してから、工程（ａ）の前記ブライン水溶液を供給する請求項１０に記載の方法。
【請求項１３】
工程（ａ）において供給される前記ブライン水溶液が、工程（ａ）に前記ブライン水溶液を供給する前に、アニリン及び／又はメチレンジアニリンを除去するためのストリッピング操作に供されていない請求項１２に記載の方法。
【請求項１４】
工程（ａ）において供給される前記ブライン溶液の全有機炭素濃度が少なくとも２００ｐｐｍであり；工程（ｂ）において得られる前記ブライン生成物流が１０ｐｐｍ未満の全有機炭素濃度を有し；そして工程（ａ）において供給される前記ブライン水溶液の無機塩の５重量％未満が炭酸アニオン及び／又は硫酸アニオンを有する塩である請求項１に記載の方法。
【請求項１５】
前記ブライン生成物流を、塩素アルカリプロセスによって（ｉ）水酸化ナトリウム及び（ii）塩素ガス又は次亜塩素酸塩を製造するためのブライン出発原料の少なくとも一部として電解槽のアノード側に投入する請求項１に記載の方法。
【国際調査報告】
2010536562.tif 000005
2010536562.tif 000006
2010536562.tif 000007